(57)【特許請求の範囲】
【請求項１】
登録した第１商品の第１支払金を計数する第１会計部と、受領した第１受領金及び前記第１支払金に基づき第１釣り銭を算出する第１算出部と、前記第１釣り銭の第１出金要求を出力する第１出金要求部と、を有する第１ＰＯＳ端末装置と、
登録した第２商品の第２支払金を計数する第２会計部と、受領した第２受領金及び前記第２支払金に基づき第２釣り銭を算出する第２算出部と、前記第２釣り銭の第２出金要求を出力する第２出金要求部と、前記第１出金要求を受け付けると前記第１釣り銭の第１出金実行要求を出力し、また、前記第２出金要求を受け付けると前記第２釣り銭の第２出金実行要求を出力する入出金要求実行部と、を有する第２ＰＯＳ端末装置と、
前記第１受領金の入金を受け付けて前記第１受領金の金額を前記入出金要求実行部を経由して前記第１ＰＯＳ端末装置に通知し、また、前記第２受領金の入金を受け付けて前記第２受領金の金額を前記第２ＰＯＳ端末装置に通知する入金受付部と、前記入出金要求実行部からの前記第１出金実行要求に基づいて前記第１釣り銭を出金し、また、前記入出金要求実行部からの前記第２出金実行要求に基づいて前記第２釣り銭を出金する出金部と、を有する現金処理装置と、
を備え、
前記第２ＰＯＳ端末装置が、前記第２出金実行要求を前記現金処理装置に出力すると、
前記第１ＰＯＳ端末装置は、前記現金処理装置の前記第２釣り銭の出金完了後に、前記第１出金要求部が前記第１出金要求を出力する、
ＰＯＳシステム。
【請求項２】
前記第２ＰＯＳ端末装置の前記入出金要求実行部は、前記第１ＰＯＳ端末装置から前記第１出金要求と、前記第２ＰＯＳ端末装置から前記第２出金要求とを受け付けた順に保持する、
請求項１に記載のＰＯＳシステム。
【請求項３】
前記第２ＰＯＳ端末装置の前記入出金要求実行部は、保持する前記第１出金要求及び前記第２出金要求のうち指定されたものに対応する前記第１出金実行要求または前記第２出金実行要求を前記現金処理装置に出力する、
請求項２に記載のＰＯＳシステム。
【請求項４】
登録した商品の支払金を計数する会計部と、受領した受領金及び前記支払金に基づき釣り銭を算出する算出部と、前記釣り銭の出金要求を出力する出金要求部と、を有するＰＯＳ端末装置と、
前記出金要求を受け付けると前記釣り銭の出金実行要求を出力する入出金要求実行部を有するサーバ装置と、
前記受領金の入金を受け付けて前記受領金の金額を前記入出金要求実行部を経由して前記ＰＯＳ端末装置に通知する入金受付部と、前記サーバ装置に接続されて、前記サーバ装置から出力された前記出金実行要求に基づいて前記釣り銭を出金する出金部と、を有する現金処理装置と、
を備えるＰＯＳシステム。
【請求項５】
第１ＰＯＳ端末装置は、登録した第１商品の第１支払金を計数し、受領した第１受領金及び前記第１支払金に基づき第１釣り銭を算出し、前記第１釣り銭の第１出金要求を出力し、
第２ＰＯＳ端末装置は、登録した第２商品の第２支払金を計数し、受領した第２受領金及び前記第２支払金に基づき第２釣り銭を算出し、前記第２釣り銭の第２出金要求を出力し、前記第１出金要求を受け付けると前記第１釣り銭の第１出金実行要求を出力し、また、前記第２出金要求を受け付けると前記第２釣り銭の第２出金実行要求を出力し、
現金処理装置は、前記第１受領金の入金を受け付けて前記第１受領金の金額を前記第２ＰＯＳ端末装置を経由して前記第１ＰＯＳ端末装置に通知し、また、前記第２受領金の入金を受け付けて前記第２受領金の金額を前記第２ＰＯＳ端末装置に通知し、前記第２ＰＯＳ端末装置からの前記第１出金実行要求に基づいて前記第１釣り銭を出金し、また、前記第２ＰＯＳ端末装置からの前記第２出金実行要求に基づいて前記第２釣り銭を出金し、
前記第２ＰＯＳ端末装置が、前記第２出金実行要求を前記現金処理装置に出力すると、
前記第１ＰＯＳ端末装置は、前記現金処理装置の前記第２釣り銭の出金完了後に、前記第１出金要求を出力する、
支払方法。
【請求項６】
ＰＯＳ端末装置は、登録した商品の支払金を計数し、受領した受領金及び前記支払金に基づき釣り銭を算出し、前記釣り銭の出金要求を出力し、
サーバ装置は、前記出金要求を受け付けると前記釣り銭の出金実行要求を出力し、
現金処理装置は、前記受領金の入金を受け付けて前記受領金の金額を前記サーバ装置を経由して前記ＰＯＳ端末装置に通知し、前記サーバ装置に接続されて、前記サーバ装置から出力された前記出金実行要求に基づいて前記釣り銭を出金する、
支払方法。
【発明の詳細な説明】
【技術分野】
【０００１】
本発明は、ＰＯＳシステム及び支払方法に関する。
【背景技術】
【０００２】
スーパーマーケット、薬局等では、ＰＯＳ（Point Of Sale）システムが導入されている。ＰＯＳシステムは、１つのＰＯＳ端末装置と、当該ＰＯＳ端末装置に接続された１つの現金処理装置とを１セットとして有する。ＰＯＳ端末装置は、係員の操作により購入対象商品の登録を受け付けて、当該商品の支払金を算出する。また、ＰＯＳ端末装置は、支払金に対する顧客から受け付けた受領金に基づき釣り銭を算出する。一方、現金処理装置は、顧客が係員に支払った受領金が係員により入金され、また、釣り銭を係員に出金する。このような構成を有するＰＯＳシステムが複数セット導入され、ＰＯＳシステムごとに係員が配備されている（例えば、特許文献１参照）。
【先行技術文献】
【特許文献】
【０００３】
【特許文献１】特開２０１４−１８６５２８号公報
【発明の概要】
【発明が解決しようとする課題】
【０００４】
しかし、ＰＯＳシステムに含まれる現金処理装置は高価である。このため、複数セットのＰＯＳシステムを導入するためには、それと同数の現金処理装置が必要となり、設備投資が嵩んでしまうという問題点があった。【０００５】
本発明は、このような点に鑑みてなされたものであり、設備投資を低減することができるＰＯＳシステム及び支払方法を提供することを目的とする。
【課題を解決するための手段】
【０００６】
本発明の一観点によれば、登録した第１商品の第１支払金を計数する第１会計部と、受領した第１受領金及び前記第１支払金に基づき第１釣り銭を算出する第１算出部と、前記第１釣り銭の第１出金要求を出力する第１出金要求部と、を有する第１ＰＯＳ端末装置と、登録した第２商品の第２支払金を計数する第２会計部と、受領した第２受領金及び前記第２支払金に基づき第２釣り銭を算出する第２算出部と、前記第２釣り銭の第２出金要求を出力する第２出金要求部と、前記第１出金要求を受け付けると前記第１釣り銭の第１出金実行要求を出力し、また、前記第２出金要求を受け付けると前記第２釣り銭の第２出金実行要求を出力する入出金要求実行部と、を有する第２ＰＯＳ端末装置と、前記第１受領金の入金を受け付けて前記第１受領金の金額を前記入出金要求実行部を経由して前記第１ＰＯＳ端末装置に通知し、また、前記第２受領金の入金を受け付けて前記第２受領金の金額を前記第２ＰＯＳ端末装置に通知する入金受付部と、前記入出金要求実行部からの前記第１出金実行要求に基づいて前記第１釣り銭を出金し、また、前記入出金要求実行部からの前記第２出金実行要求に基づいて前記第２釣り銭を出金する出金部と、を有する現金処理装置と、を備え、前記第２ＰＯＳ端末装置が、前記第２出金実行要求を前記現金処理装置に出力すると、前記第１ＰＯＳ端末装置は、前記現金処理装置の前記第２釣り銭の出金完了後に、前記第１出金要求部が前記第１出金要求を出力する、ＰＯＳシステムが提供される。
【０００７】
また、本発明の一観点によれば、登録した商品の支払金を計数する会計部と、受領した受領金及び前記支払金に基づき釣り銭を算出する算出部と、前記釣り銭の出金要求を出力する出金要求部と、を有するＰＯＳ端末装置と、前記出金要求を受け付けると前記釣り銭の出金実行要求を出力する入出金要求実行部を有するサーバ装置と、前記受領金の入金を受け付けて前記受領金の金額を前記入出金要求実行部を経由して前記ＰＯＳ端末装置に通知する入金受付部と、前記サーバ装置に接続されて、前記サーバ装置から出力された前記出金実行要求に基づいて前記釣り銭を出金する出金部と、を有する現金処理装置と、を備えるＰＯＳシステムが提供される。
【０００８】
また、本発明の一観点によれば、上記ＰＯＳシステムで実行される支払方法が提供される。
【発明の効果】
【０００９】
開示の技術によれば、設備投資を低減することができる。
本発明の上記および他の目的、特徴および利点は本発明の例として好ましい実施の形態を表す添付の図面と関連した以下の説明により明らかになるであろう。
【図面の簡単な説明】
【００１０】
【図１】第１の実施の形態のＰＯＳシステムを説明するための図である。
【図２】第２の実施の形態のＰＯＳシステムの一例を示す図である。
【図３】第２の実施の形態の現金処理装置のハードウェア構成の一例を示す図である。
【図４】第２の実施の形態のＰＯＳ端末装置のハードウェア構成の一例を示す図である。
【図５】第２の実施の形態のＰＯＳシステムで実行される支払処理の一例を示すシークエンス図である。
【図６】第２の実施の形態のＰＯＳシステムのＰＯＳ端末装置及び現金処理装置で実行される処理を表す機能ブロック図である。
【図７】第２の実施の形態のＰＯＳ端末装置で実行される支払処理を示すフローチャート（その１）である。
【図８】第２の実施の形態のＰＯＳ端末装置で実行される支払処理を示すフローチャート（その２）である。
【図９】第２の実施の形態のＰＯＳ端末装置のディスプレイにおける支払処理時の表示画面例を示す図である。
【図１０】第２の実施の形態のＰＯＳ端末装置のディスプレイにおける支払情報送信後の表示画面例を示す図である。
【図１１】第３の実施の形態のＰＯＳシステムの一例を示す図である。
【図１２】第３の実施の形態のＰＯＳシステムで実行される支払処理の一例を示すシークエンス図である。
【図１３】第３の実施の形態のＰＯＳシステムのＰＯＳ端末装置及び現金処理装置で実行される処理を表す機能ブロック図である。
【図１４】第３の実施の形態のＰＯＳ端末装置で実行される支払登録処理を示すフローチャートである。
【図１５】第３の実施の形態のＰＯＳ端末装置で実行される支払実行処理を示すフローチャート（その１）である。
【図１６】第３の実施の形態のＰＯＳ端末装置で実行される支払実行処理を示すフローチャート（その２）である。
【図１７】第３の実施の形態の現金処理装置のディスプレイにおける支払待機時の表示画面例を示す図（その１）である。
【図１８】第３の実施の形態の現金処理装置のディスプレイにおける支払待機時の表示画面例を示す図（その２）である。
【図１９】第３の実施の形態の現金処理装置のディスプレイにおける入金時の表示画面例を示す図（その１）である。
【図２０】第３の実施の形態の現金処理装置のディスプレイにおける入金時の表示画面例を示す図（その２）である。
【図２１】第４の実施の形態のＰＯＳシステムの一例を示す図である。
【図２２】第４の実施の形態のＰＯＳシステムで実行される支払処理の一例を示すシークエンス図である。
【図２３】第４の実施の形態のＰＯＳシステムの管理サーバ、ＰＯＳ端末装置及び現金処理装置で実行される処理を表す機能ブロック図である。
【図２４】第５の実施の形態のＰＯＳシステムの一例を示す図である。
【図２５】第５の実施の形態のＰＯＳシステムで実行される支払処理の一例を示すシークエンス図である。
【図２６】第５の実施の形態のＰＯＳシステムの管理サーバ、ＰＯＳ端末装置及び現金処理装置で実行される処理を表す機能ブロック図である。
【発明を実施するための形態】
【００１１】
以下、図面を参照して、実施の形態について説明する。
［第１の実施の形態］
第１の実施の形態のＰＯＳシステムについて図１を用いて説明する。
【００１２】
図１は、第１の実施の形態のＰＯＳシステムを説明するための図である。
ＰＯＳシステム５０は、スーパーマーケット、薬局等に導入されるものである。このようなＰＯＳシステム５０は、第１ＰＯＳ端末装置１０と、第２ＰＯＳ端末装置２０と、現金処理装置３０とを有している。第２ＰＯＳ端末装置２０に対して、第１ＰＯＳ端末装置１０及び現金処理装置３０がそれぞれ接続されている。ＰＯＳシステム５０では、第１ＰＯＳ端末装置１０及び第２ＰＯＳ端末装置２０に対してそれぞれ係員が配備されている（図示を省略）。
【００１３】
第１ＰＯＳ端末装置１０は、顧客が購入する商品を登録して、当該商品の支払金を計数するものである。このような第１ＰＯＳ端末装置１０は、第１会計部１１と、第１算出部１２と、第１出金要求部１３とを有している。
【００１４】
第１会計部１１は、登録した第１商品の第１支払金を計数する。
第１算出部１２は、受領した第１受領金及び第１支払金に基づき第１釣り銭を算出する。
【００１５】
第１出金要求部１３は、第１釣り銭の第１出金要求を出力する。
なお、第１の実施の形態の図１では、第１ＰＯＳ端末装置１０が１つの場合を示している。この場合に限らず、第１ＰＯＳ端末装置１０が複数あって、それらが後述する第２ＰＯＳ端末装置２０にそれぞれ接続してもよい。
【００１６】
また、第２ＰＯＳ端末装置２０もまた、第１ＰＯＳ端末装置１０に接続されていると共に、第１ＰＯＳ端末装置１０と同様に、顧客が購入する商品を登録して、当該商品の支払金を計数するものである。さらに、第２ＰＯＳ端末装置２０は、後述する現金処理装置３０と接続されている。このような第２ＰＯＳ端末装置２０は、第２会計部２１と、第２算出部２２と、第２出金要求部２３と、入出金要求実行部２４とを有している。
【００１７】
第２会計部２１は、登録した第２商品の第２支払金を計数する。
第２算出部２２は、受領した第２受領金及び第２支払金に基づき第２釣り銭を算出する。
【００１８】
第２出金要求部２３は、第２釣り銭の第２出金要求を出力する。
入出金要求実行部２４は、第１ＰＯＳ端末装置１０から第１出金要求を受け付けると第１釣り銭の第１出金実行要求を出力し、また、第２ＰＯＳ端末装置２０から第２出金要求を受け付けると第２釣り銭の第２出金実行要求を出力する。
【００１９】
また、現金処理装置３０は、第２ＰＯＳ端末装置２０に接続されている。現金処理装置３０は、紙幣を収納する紙幣カセットと、硬貨を収納する硬貨カセットとを有している。このような現金処理装置３０は、入金受付部３１と、出金部３２とを有している。
【００２０】
入金受付部３１は、係員から第１受領金の入金を受け付けて第１受領金の金額を入出金要求実行部２４を経由して第１ＰＯＳ端末装置１０に通知する。また、入金受付部３１は、係員から第２受領金の入金を受け付けて第２受領金の金額を入出金要求実行部２４を経由して第２ＰＯＳ端末装置２０に通知する。
【００２１】
なお、第１受領金及び第２受領金は、係員が顧客から商品の支払金に対して受領した代金のことである。
出金部３２は、第２ＰＯＳ端末装置２０からの第１出金実行要求に基づいて第１釣り銭を出金する。また、出金部３２は、第２ＰＯＳ端末装置２０からの第２出金実行要求に基づいて第２釣り銭を出金する。
【００２２】
ここでＰＯＳシステム５０を用いた支払処理について説明する。
まず、第１ＰＯＳ端末装置１０で支払処理を行う場合について説明する。
顧客は、第１ＰＯＳ端末装置１０に配備されている係員に購入商品を手渡す。
【００２３】
係員は、当該商品を第１ＰＯＳ端末装置１０に登録すると、第１ＰＯＳ端末装置１０の第１会計部１１は、登録した商品の支払金を計数する。また、係員は、顧客から当該支払金に対する代金（受領金）を受領する。
【００２４】
係員は、顧客から受領した受領金を持って、現金処理装置３０に移動する。係員は、受領金を現金処理装置３０に入金する。現金処理装置３０の入金受付部３１は、係員から受け付けた受領金の金額を計数して、入出金要求実行部２４を経由して第１ＰＯＳ端末装置１０に通知する。
【００２５】
第１ＰＯＳ端末装置１０の第１算出部１２は、支払金と通知された受領金とから釣り銭を算出して、当該釣り銭を出金させる第１出金実行要求を入出金要求実行部２４を経由して現金処理装置３０に通知する。
【００２６】
現金処理装置３０は、第１ＰＯＳ端末装置１０から入出金要求実行部２４を経由して通知された第１出金実行要求に基づいて釣り銭を出金する。係員は、現金処理装置３０から出金された釣り銭を顧客に返却する。
【００２７】
以上により、第１ＰＯＳ端末装置１０による支払処理が完了する。
また、第２ＰＯＳ端末装置２０でも第１ＰＯＳ端末装置１０と同様に入出金要求実行部２４を経由した現金処理装置３０の制御により支払処理が実行される。
【００２８】
このように、上記ＰＯＳシステム５０では、第１ＰＯＳ端末装置１０と、第２ＰＯＳ端末装置２０と、現金処理装置３０とを有している。
第１ＰＯＳ端末装置１０は、第２ＰＯＳ端末装置２０と接続されており、登録した第１商品の第１支払金を計数し、受領した第１受領金及び第１支払金に基づき第１釣り銭を算出し、第１釣り銭の第１出金要求を出力する。
【００２９】
第２ＰＯＳ端末装置２０は、第１ＰＯＳ端末装置１０と同様に、登録した第２商品の第２支払金を計数し、受領した第２受領金及び第２支払金に基づき第２釣り銭を算出し、第２釣り銭の第２出金要求を出力する。さらに、第２ＰＯＳ端末装置２０は、第１ＰＯＳ端末装置１０から第１出金要求を受け付けると第１釣り銭の第１出金実行要求を出力し、また、第２ＰＯＳ端末装置２０から第２出金要求を受け付けると第２釣り銭の第２出金実行要求を出力する。
【００３０】
現金処理装置３０は、第２ＰＯＳ端末装置２０に接続されており、係員から第１受領金の入金を受け付けて第１受領金の金額を入出金要求実行部２４を経由して第１ＰＯＳ端末装置１０に通知する。また、現金処理装置３０は、係員から第２受領金の入金を受け付けて第２受領金の金額を入出金要求実行部２４を経由して第２ＰＯＳ端末装置２０に通知する。現金処理装置３０は、第２ＰＯＳ端末装置２０からの第１出金実行要求に基づいて第１釣り銭を出金し、第２ＰＯＳ端末装置２０からの第２出金実行要求に基づいて第２釣り銭を出金する。
【００３１】
このため、ＰＯＳシステム５０では、第１ＰＯＳ端末装置１０及び第２ＰＯＳ端末装置２０に対して１つの現金処理装置３０を設定すると共に支払処理に利用することができる。したがって、ＰＯＳシステム５０では、第１ＰＯＳ端末装置１０及び第２ＰＯＳ端末装置２０ごとに現金処理装置３０を設ける必要がなく、現金処理装置３０の台数を抑制でき、設備投資を低減することができる。
【００３２】
［第２の実施の形態］
第２の実施の形態では、第１の実施の形態のＰＯＳシステムを小売店に適用した例を挙げて具体的に説明する。
【００３３】
まず、第２の実施の形態のＰＯＳシステムについて図２を用いて説明する。
図２は、第２の実施の形態のＰＯＳシステムの一例を示す図である。
ＰＯＳシステム５００は、小売店の一例として薬局に適用されている。図２は、ＰＯＳシステム５００が適用された薬局の店内Ｓの平面を示している。このようなＰＯＳシステム５００は、管理サーバ１００と、現金処理装置２００と、ＰＯＳ端末装置３００，４００ｂ〜４００ｅとを有している。
【００３４】
管理サーバ１００は、後述するＰＯＳ端末装置３００，４００ｂ〜４００ｅとネットワークを介して接続して（図２中の実線）、ＰＯＳ端末装置３００，４００ｂ〜４００ｅを管理している。管理サーバ１００は、ＰＯＳ端末装置３００，４００ｂ〜４００ｅから売上情報を受け付け、また、ＰＯＳ端末装置３００，４００ｂ〜４００ｅに対して商品単価、値引きの情報等を通知する。このような管理サーバ１００は、店内の管理室等の人目が当たらない室内に設置されている。
【００３５】
現金処理装置２００は、紙幣を収納する紙幣カセットと、硬貨を収納する硬貨カセットとを内蔵している。現金処理装置２００は、係員からの金銭の入金を受けつける。また、現金処理装置２００は、後述するＰＯＳ端末装置３００に接続されており、ＰＯＳ端末装置３００からの要求に基づき、釣り銭を出金する。このような現金処理装置２００は、ＰＯＳ端末装置３００とネットワークを介して接続して（図２中の実線）、例えば、店内ＳのＰＯＳ端末装置３００，４００ｂ〜４００ｅの後方等に設置されている。
【００３６】
ＰＯＳ端末装置３００，４００ｂ〜４００ｅは、係員が配備される窓口にそれぞれ設置されている。ＰＯＳ端末装置３００，４００ｂ〜４００ｅは、係員により商品の登録を受け付け、登録した商品の支払金を計数する。ＰＯＳ端末装置３００，４００ｂ〜４００ｅは、係員が支払金に対して顧客から受領した受領金と支払金との差による釣り銭を算出する。そして、ＰＯＳ端末装置３００は、当該釣り銭を現金処理装置２００から、ＰＯＳ端末装置４００ｂ〜４００ｅは、ＰＯＳ端末装置３００を経由して、当該釣り銭を現金処理装置２００から出金させる。なお、窓口にそれぞれ配備された係員は、顧客からの受領金の入金並びに釣り銭の受け取りのために、窓口から現金処理装置２００まで移動して、再び、窓口に戻って（図２中の破線）、顧客に釣り銭を手渡しで返却する。
【００３７】
なお、以下では、ＰＯＳ端末装置４００ｂ〜４００ｅは、それぞれを特に識別しない場合には、ＰＯＳ端末装置４００として説明する。
次に、このようなＰＯＳシステム５００の各構成のハードウェア構成について説明する。
【００３８】
まず、現金処理装置２００のハードウェア構成について図３を用いて説明する。
図３は、第２の実施の形態の現金処理装置のハードウェア構成の一例を示す図である。
現金処理装置２００は、制御ユニット２１０と、制御ユニット２１０にそれぞれ接続された紙幣処理ユニット２２０及び硬貨処理ユニット２３０を有している。
【００３９】
制御ユニット２１０は、ＣＰＵ（Central Processing Unit）２１０ａにより装置全体が制御されている。ＣＰＵ２１０ａには、バス２１０ｇを介して、ＲＡＭ（Random Access Memory）２１０ｂと、ＨＤＤ（Hard Disk Drive）２１０ｃと、入出力インタフェース２１０ｅと、通信インタフェース２１０ｆとがそれぞれ接続されている。
【００４０】
ＲＡＭ２１０ｂには、ＣＰＵ２１０ａに実行させるＯＳ（Operating System）のプログラムやサーバを実行するためのアプリケーションプログラムの少なくとも一部が一時的に格納される。また、ＲＡＭ２１０ｂには、ＣＰＵ２１０ａによる処理に必要な各種データまたは処理で生成されたデータ等が格納される。
【００４１】
ＨＤＤ２１０ｃには、ＯＳやアプリケーションプログラムが格納される。
入出力インタフェース２１０ｅには、紙幣処理ユニット２２０及び硬貨処理ユニット２３０が接続されている。また、入出力インタフェース２１０ｅは、可搬型記録媒体２４０への情報の書込み、及び可搬型記録媒体２４０からの情報の読出しが可能な可搬型記録媒体インタフェースと接続可能になっている。入出力インタフェース２１０ｅは、紙幣処理ユニット２２０及び硬貨処理ユニット２３０から送られてくる信号を、バス２１０ｇを介してＣＰＵ２１０ａに送信する。また、入出力インタフェース２１０ｅは、ＣＰＵ２１０ａからの制御信号を、バス２１０ｇを介して紙幣処理ユニット２２０及び硬貨処理ユニット２３０に送信する。
【００４２】
通信インタフェース２１０ｆは、例えば、ＲＳ−２３２Ｃ（Recommended Standard 232 version C）やＵＳＢ（Universal Serial Bus）接続の接続形式でＰＯＳ端末装置３００に接続されている。通信インタフェース２１０ｆは、ＰＯＳ端末装置３００との間でデータの送受信を行う。
【００４３】
また、紙幣処理ユニット２２０には、紙幣を収納する紙幣カセットが内蔵されている。紙幣処理ユニット２２０は、入金された紙幣を紙幣カセットに取り込み、また、制御信号に応じて紙幣カセット内の紙幣を外部に出金する。
【００４４】
また、硬貨処理ユニット２３０には、硬貨を収納する硬貨カセットが内蔵されている。硬貨処理ユニット２３０は、入金された硬貨を硬貨カセットに取り込み、また、制御信号に応じて硬貨カセット内の硬貨を外部に出金する。
【００４５】
以上のようなハードウェア構成によって、第２の実施の形態の処理機能を実現することができる。
なお、管理サーバ１００も少なくとも現金処理装置２００の制御ユニット２１０と同様のハードウェア構成を備えている。
【００４６】
次に、ＰＯＳ端末装置３００のハードウェア構成について図４を用いて説明する。
図４は、第２の実施の形態のＰＯＳ端末装置のハードウェア構成の一例を示す図である。
【００４７】
なお、図示は省略するものの、ＰＯＳ端末装置４００ｂ〜４００ｅもＰＯＳ端末装置３００と同様のハードウェア構成を備えている。
ＰＯＳ端末装置３００は、制御ユニット３１０を備え、制御ユニット３１０に各種入出力装置が接続されている。
【００４８】
制御ユニット３１０は、ＣＰＵ３１０ａによって装置全体が制御されている。ＣＰＵ３１０ａには、バス３１０ｇを介してＲＡＭ３１０ｂと、ＨＤＤ３１０ｃと、グラフィック処理装置３１０ｄと、入出力インタフェース３１０ｅと、通信インタフェース３１０ｆとが接続されている。
【００４９】
ＲＡＭ３１０ｂには、ＣＰＵ３１０ａに実行させるＯＳのプログラムやサーバを実行するためのアプリケーションプログラムの少なくとも一部が一時的に格納される。また、ＲＡＭ３１０ｂには、ＣＰＵ３１０ａによる処理に必要な各種データまたは処理で生成されたデータ等が格納される。
【００５０】
ＨＤＤ３１０ｃには、ＯＳやアプリケーションプログラムが格納される。
グラフィック処理装置３１０ｄには、ディスプレイ３２０が接続されている。グラフィック処理装置３１０ｄは、ＣＰＵ３１０ａからの命令に従って、画像をディスプレイ３２０の画面に表示させる。
【００５１】
入出力インタフェース３１０ｅには、磁気カードリーダ３３０と、タッチパネル３４０と、キーボード３５０と、バーコードスキャナ３６０と、プリンタ３７０とが接続されている。また、入出力インタフェース３１０ｅは、可搬型記録媒体３８０への情報の書込み、及び可搬型記録媒体３８０からの情報の読出しが可能な可搬型記録媒体インタフェースと接続可能になっている。入出力インタフェース３１０ｅは、磁気カードリーダ３３０と、タッチパネル３４０と、キーボード３５０と、バーコードスキャナ３６０と、プリンタ３７０と、可搬型記録媒体インタフェースとから送られてくる信号を、バス３１０ｇを介してＣＰＵ３１０ａに送信する。
【００５２】
通信インタフェース３１０ｆは、例えば、ＲＳ−２３２Ｃ（Recommended Standard 232 version C）やＵＳＢ（Universal Serial Bus）接続の接続形式で、管理サーバ１００と接続されている。また、ＰＯＳ端末装置３００は、現金処理装置２００及びＰＯＳ端末装置４００ｂ〜４００ｅと接続されている。通信インタフェース３１０ｆは、各接続装置との間でデータの送受信を行う。また、通信インタ―フェース３１０ｆでは、ＰＯＳ周辺機器をネットワーク越しに制御可能な次世代のＰＯＳ標準化規格である、ＷＳ（Web Services）−ＰＯＳを有している。ＷＳ−ＰＯＳは、ネットワーク越しに接続されている装置を制御することができる。このため、例えば、ＰＯＳ端末装置３００は、ＰＯＳ端末装置４００ｂ〜４００ｅからの要求に基づき、直接接続されていない現金処理装置２００をネットワーク越しに制御することができる。
【００５３】
以上のようなハードウェア構成によって、第２の実施の形態の処理機能を実現することができる。
なお、制御ユニット３１０は、それぞれＦＰＧＡ（Field Programmable Gate Array）やＤＳＰ（Digital Signal Processor）等からなるモジュールを含んで構成することもでき、ＣＰＵ３１０ａを有しない構成とすることもできる。その場合、制御ユニット３１０は、それぞれ不揮発性メモリ（例えば、ＥＥＰＲＯＭ（Electrically Erasable and Programmable Read Only Memory）、フラッシュメモリ、フラッシュメモリ型メモリカード等）を備え、モジュールのファームウェアを記憶する。不揮発性メモリは、可搬型記録媒体３８０、あるいは通信インタフェース３１０ｆを介してファームウェアを書き込むことができる。このように制御ユニット３１０は、不揮発性メモリに記憶されているファームウェアを書き換えることにより、ファームウェアの更新をすることもできる。
【００５４】
なお、図示は省略するものの、ＰＯＳ端末装置４００ｂ〜４００ｅもＰＯＳ端末装置３００と同様のハードウェア構成を備えている。但し、ＰＯＳ端末装置４００ｂ〜４００ｅは、通信インタフェース３１０ｆにより管理サーバ１００及びＰＯＳ端末装置３００に接続されている。
【００５５】
次に、このような構成を有するＰＯＳシステム５００で実行される支払処理の流れについて図５（並びに図２）を用いて説明する。
図５は、第２の実施の形態のＰＯＳシステムで実行される支払処理の一例を示すシークエンス図である。
【００５６】
なお、図５では、図２のＰＯＳシステム５００において、ＰＯＳ端末装置３００，４００ｂで支払処理を行う場合を例に挙げている。
［ステップＳ１］  顧客Ａは、窓口Ａに購入対象となる商品を持っていき、係員Ａに手渡す。
【００５７】
［ステップＳ２］  係員Ａは、例えば、ＰＯＳ端末装置３００のバーコードスキャナ３６０により、購入対象となる商品に付されているバーコードを読み取り、商品の商品登録を行う。
【００５８】
［ステップＳ３］  ＰＯＳ端末装置３００は、登録した商品の支払金を計数する。なお、係員Ａは、計数した商品の支払金を顧客Ａに伝える。そして、ＰＯＳ端末装置３００は、計数した支払金の支払情報を現金処理装置２００に通知する。これにより、現金処理装置２００は、ＰＯＳ端末装置３００との接続が維持される。
【００５９】
［ステップＳ４］  顧客Ａは、伝えられた支払金に対して代金を係員Ａに手渡す。
［ステップＳ５］  係員Ａは、顧客Ａから手渡された代金（受領金）を持って現金処理装置２００に移動する。係員Ａは、現金処理装置２００に当該受領金を入金する。
【００６０】
なお、現金処理装置２００は、入金された受領金の金額をＰＯＳ端末装置３００に通知する。
［ステップＳ６］  ＰＯＳ端末装置３００は、現金処理装置２００から通知された受領金の金額と、支払金とによりその釣り銭を算出する。ＰＯＳ端末装置３００は、現金処理装置２００から当該釣り銭を外部（係員Ａ）に出金させる。
【００６１】
［ステップＳ７］  ＰＯＳ端末装置３００は、一連の取引内容を印字したレシートを出力する。
なお、これにより、ＰＯＳ端末装置３００は、現金処理装置２００との接続を解除する。
【００６２】
［ステップＳ８］  顧客Ｂは、窓口Ｂに購入対象となる商品を持っていき、係員Ｂに手渡す。
［ステップＳ９］  係員Ｂは、例えば、ＰＯＳ端末装置４００ｂのバーコードスキャナ３６０により、購入対象となる商品に付されているバーコードを読み取り、商品の商品登録を行う。
【００６３】
［ステップＳ１０］  ＰＯＳ端末装置４００ｂは、登録した商品の支払金を計数する。なお、係員Ｂは、計数した商品の支払金を顧客Ｂに伝える。そして、ＰＯＳ端末装置４００ｂは、計数した支払金の支払情報をＰＯＳ端末装置３００に通知する。
【００６４】
［ステップＳ１１］  ＰＯＳ端末装置３００は、ステップＳ１０でＰＯＳ端末装置４００ｂから通知された支払情報（支払金）を現金処理装置２００に通知する。これにより、現金処理装置２００は、ＰＯＳ端末装置３００を経由して、ＰＯＳ端末装置４００ｂとの接続が維持される。
【００６５】
［ステップＳ１２］  顧客Ｂは、伝えられた支払金に対して代金を係員Ｂに手渡す。
［ステップＳ１３］  係員Ｂは、顧客Ｂから手渡された代金（受領金）を持って現金処理装置２００に移動する。係員Ｂは、現金処理装置２００に当該受領金を入金する。
【００６６】
なお、現金処理装置２００は、入金された受領金の金額をＰＯＳ端末装置３００を経由してＰＯＳ端末装置４００ｂに通知する。
［ステップＳ１４］  ＰＯＳ端末装置４００ｂは、現金処理装置２００から通知された受領金の金額と、支払金とによりその釣り銭を算出する。ＰＯＳ端末装置４００ｂは、ＰＯＳ端末装置３００を経由して、現金処理装置２００から当該釣り銭を外部（係員Ｂ）に出金させる。
【００６７】
［ステップＳ１５］  ＰＯＳ端末装置４００ｂは、一連の取引内容を印字したレシートを出力する。
なお、これにより、ＰＯＳ端末装置４００ｂは、ＰＯＳ端末装置３００を経由した現金処理装置２００との接続を解除する。
【００６８】
［ステップＳ１６］  ＰＯＳ端末装置３００は、これまでに売り上げた売上情報を管理サーバ１００に通知する。
［ステップＳ１７］  ＰＯＳ端末装置４００ｂは、これまでに売り上げた売上情報を管理サーバ１００に通知する。
【００６９】
次に、このような支払処理を実行するためにＰＯＳ端末装置３００，４００ｂ〜４００ｅ及び現金処理装置２００が有する機能について図６を用いて説明する。
図６は、第２の実施の形態のＰＯＳシステムのＰＯＳ端末装置及び現金処理装置で実行される処理を表す機能ブロック図である。
【００７０】
ＰＯＳシステム５００では、既述の通り、ＰＯＳ端末装置３００に現金処理装置２００と、複数のＰＯＳ端末装置４００ｂ〜４００ｅとがそれぞれ接続されている。
ＰＯＳ端末装置３００は、会計処理部３１１と、接続制御部３１２と、現金処理部３１３と、接続部３１４とを有している。
【００７１】
会計処理部３１１は、購入対象の商品の商品登録、登録した商品の支払金の計数等の商品の会計に関する処理を実行する。
接続制御部３１２は、ＰＯＳ端末装置３００と現金処理装置２００との接続要求及び解除要求を出力する処理を実行する。
【００７２】
現金処理部３１３は、現金処理装置２００に対して受領金の入金の受け付け、釣り銭の出金等に関する処理を実行させる。
接続部３１４は、ＰＯＳ端末装置３００と現金処理装置２００との接続並びに解除を実行する。
【００７３】
ＰＯＳ端末装置４００ｂ〜４００ｅは、ＰＯＳ端末装置３００と同様に、会計処理部４１１ｂ〜４１１ｅと、接続制御部４１２ｂ〜４１２ｅと、現金処理部４１３ｂ〜４１３ｅとを有している。なお、これらは、ＰＯＳ端末装置３００が有する会計処理部３１１と、接続制御部３１２と、現金処理部３１３と同様の機能を有するために、説明を省略する。また、図６では、ＰＯＳ端末装置４００ｂ〜４００ｅのうち、ＰＯＳ端末装置４００ｂの構成を一例として記載している。
【００７４】
また、現金処理装置２００は、入金処理部２１１と、出金処理部２１２とを有している。
入金処理部２１１は、現金処理装置２００に対して入金された受領金を受け付けて計数する。また、入金処理部２１１は、計数した受領金の金額をＰＯＳ端末装置３００の接続部３１４を経由してＰＯＳ端末装置３００の現金処理部３１３またはＰＯＳ端末装置４００ｂ〜４００ｅの現金処理部４１３ｂ〜４１３ｅに通知する。
【００７５】
出金処理部２１２は、ＰＯＳ端末装置３００，４００ｂ〜４００ｅからの要求に基づき釣り銭を出金する。
なお、ＰＯＳ端末装置４００ｂ〜４００ｅをそれぞれ区別しない場合には、単に、ＰＯＳ端末装置４００とする。また、会計処理部４１１ｂ〜４１１ｅと、接続制御部４１２ｂ〜４１２ｅと、現金処理部４１３ｂ〜４１３ｅとを会計処理部４１１と、接続制御部４１２と、現金処理部４１３とする。
【００７６】
次に、このような機能を有するＰＯＳ端末装置３００，４００ｂ〜４００ｅで実行される支払処理について図７，８並びに図９，１０を用いて説明する。
図７及び図８は、第２の実施の形態のＰＯＳ端末装置で実行される支払処理を示すフローチャートである。
【００７７】
図９は、第２の実施の形態のＰＯＳ端末装置のディスプレイにおける支払処理時の表示画面例を示す図である。
図１０は、第２の実施の形態のＰＯＳ端末装置のディスプレイにおける支払情報送信後の表示画面例を示す図である。
【００７８】
［ステップＳ２０］  ＰＯＳ端末装置３００，４００の会計処理部３１１，４１１は、商品登録を待ち受ける。ＰＯＳ端末装置３００，４００のバーコードスキャナ３６０で、商品に付されたバーコード（識別情報）を読み取ると、ステップＳ２１の処理に進められる。
【００７９】
商品登録が行われない場合には、ステップＳ２２の処理に進められる。
なお、商品の識別情報の読み取り方法は、バーコードスキャナ３６０によるバーコードの読み取りの他、キーボード３５０を用いて商品の識別情報を入力してもよい。
【００８０】
［ステップＳ２１］  ＰＯＳ端末装置３００，４００の会計処理部３１１，４１１は、ステップＳ２０で識別情報が読み取られた商品を登録する。
［ステップＳ２２］  次の処理は、ＰＯＳ端末装置３００，４００において、購入対象の全ての商品の登録が完了したらステップＳ２３の処理に進められ、全ての商品の登録が完了していない場合には、再び、ステップＳ２０の処理に進められる。
【００８１】
なお、係員は、全ての商品登録が完了すると、例えば、ＰＯＳ端末装置３００，４００のタッチパネル３４０に表示されている商品登録完了のボタンをタッチすることで（図示を省略）、ＰＯＳ端末装置３００，４００は全ての商品の登録を認識する。
【００８２】
［ステップＳ２３］  ＰＯＳ端末装置３００，４００の会計処理部３１１，４１１は、ステップＳ２２で登録が完了した全ての商品の単価とその個数との積により支払金を確定する。尚、割引サービス等がある場合には、全ての集計により支払い金額を確定する。
【００８３】
［ステップＳ２４］  ＰＯＳ端末装置３００，４００の接続制御部３１２，４１２は、ステップＳ２３で支払金が確定すると、支払金に関する支払情報をＰＯＳ端末装置３００の接続部３１４にそれぞれ通知する。
【００８４】
例えば、図９に示すディスプレイ３２０は、登録商品の明細を表示する領域３２１と、支払金を表示する領域３２２と、「支払情報通知」を実行させるボタン３２３とを有している。係員は、支払金確定後、このボタン３２３を押下すると、ＰＯＳ端末装置３００，４００の接続制御部３１２，４１２は、支払金に関する支払情報をＰＯＳ端末装置３００の接続部３１４に通知する。
【００８５】
また、ＰＯＳ端末装置３００，４００において、支払情報がＰＯＳ端末装置３００の接続部３１４に通知されると、図１０に示されるように、ディスプレイ３２０の「支払情報通知完了」を表す領域３２４に支払情報が通知された旨が表示される。
【００８６】
また、ＰＯＳ端末装置３００の接続部３１４は、通知された支払情報を現金処理装置２００に通知して、現金処理装置２００からの応答を待ち受ける。ＰＯＳ端末装置３００の接続部３１４は、現金処理装置２００からの応答に基づき、現金処理装置２００の接続が別のＰＯＳ端末装置３００，４００により占有されているか否かを判定する。
【００８７】
［ステップＳ２５］  ＰＯＳ端末装置３００，４００の接続制御部３１２，４１２は、ＰＯＳ端末装置３００の接続部３１４からの応答に基づき、現金処理装置２００の接続を別のＰＯＳ端末装置３００，４００が占有しているか否かを判定する。
【００８８】
次の処理は、現金処理装置２００の接続を別のＰＯＳ端末装置３００，４００が占有している場合には、占有が解除されるまで待機し、占有が解除されるとステップＳ２６の処理に進められる。
【００８９】
［ステップＳ２６］  ＰＯＳ端末装置３００，４００の接続制御部３１２，４１２は、ＰＯＳ端末装置３００の接続部３１４を経由して、現金処理装置２００との接続を占有する。
【００９０】
［ステップＳ２７］  ＰＯＳ端末装置３００，４００の接続制御部３１２，４１２は、ＰＯＳ端末装置３００の接続部３１４を経由して、現金処理装置２００に支払処理要求を通知する。これにより、現金処理装置２００は、入金可能状態に設定される。
【００９１】
［ステップＳ２８］  次の処理は、ＰＯＳ端末装置３００，４００の現金処理部３１３，４１３が現金処理装置２００の入金処理部２１１から受領金の入金を受け付けたことが通知されると、ステップＳ２９の処理に進められ、受領金の入金を受け付けていないことが通知されると、ステップＳ３０に進められる。
【００９２】
すなわち、現金処理装置２００は、顧客から代金（受領金）を受領した係員から当該受領金の入金を受け付けると、入金を受け付けた旨をＰＯＳ端末装置３００の接続部３１４を経由して、ＰＯＳ端末装置３００，４００の現金処理部３１３，４１３に通知する。ＰＯＳ端末装置３００，４００の現金処理部３１３，４１３は、現金処理装置２００から受領金の入金を受け付けた旨の通知を待ち受ける。
【００９３】
［ステップＳ２９］  ＰＯＳ端末装置３００，４００の現金処理部３１３，４１３は、現金処理装置２００に受領金の金額の計数を実行させる。
なお、現金処理装置２００は、計数した受領金の金額を、ＰＯＳ端末装置３００の接続部３１４を経由して、ＰＯＳ端末装置３００，４００の現金処理部３１３，４１３に通知する。
【００９４】
［ステップＳ３０］  ＰＯＳ端末装置３００，４００の現金処理部３１３，４１３は、ステップＳ２９で計数させた受領金が支払金以上であるか否かを判定する。
次の処理は、受領金が支払金以上である場合には、ステップＳ３１に進められ、受領金が支払金未満である場合には、ステップＳ２８に進められる。
【００９５】
［ステップＳ３１］  ＰＯＳ端末装置３００，４００の接続制御部３１２，４１２は、ＰＯＳ端末装置３００の接続部３１４を経由して、現金処理装置２００の入金可能状態を解除する。すなわち、現金処理装置２００は入金を受け付けなくなる。
【００９６】
［ステップＳ３２］  ＰＯＳ端末装置３００，４００の現金処理部３１３，４１３は、ステップＳ２９で計数した受領金が支払金に等しいか否かを判定する。
次の処理は、受領金が支払金に等しい場合には、ステップＳ３４に進められ、受領金が支払金に等しくない場合には、ステップＳ３３に進められる。
【００９７】
［ステップＳ３３］  ＰＯＳ端末装置３００，４００の現金処理部３１３，４１３は、受領金から支払金を差し引いて釣り銭を算出する。ＰＯＳ端末装置３００，４００の現金処理部３１３，４１３は、ＰＯＳ端末装置３００の接続部３１４を経由して、現金処理装置２００の出金処理部２１２から釣り銭を出金させる。
【００９８】
［ステップＳ３４］  ＰＯＳ端末装置３００，４００の現金処理部３１３，４１３は、プリンタ３７０に、支払金、受領金（並びに、必要に応じて釣り銭）等の取引内容を印字させたレシートを出力させる。
【００９９】
［ステップＳ３５］  ＰＯＳ端末装置３００，４００の接続制御部３１２，４１２は、ＰＯＳ端末装置３００の接続部３１４を経由して、現金処理装置２００との接続を解除する。
【０１００】
以上により、ＰＯＳシステム５００で支払処理を実行することができる。
このように、上記ＰＯＳシステム５００では、ＰＯＳ端末装置３００と、ＰＯＳ端末装置３００にそれぞれ接続されているＰＯＳ端末装置４００ｂ〜４００ｅと、ＰＯＳ端末装置３００に接続されている１つの現金処理装置２００とを有している。
【０１０１】
ＰＯＳ端末装置４００ｂ〜４００ｅは、ＰＯＳ端末装置３００を経由して１つの現金処理装置２００を用いて、受領金の入金、釣り銭の出金を行わせている。
なお、小売業として、例えば、薬局等では、顧客が購入する薬品（商品）の点数が少なく、また、まとまった人数の顧客の来店が少ないために、現金処理装置２００の個数を減らして、ＰＯＳ端末装置３００，４００ｂ〜４００ｅに対して現金処理装置２００を共用して利用しても、支払業務に問題はない。
【０１０２】
このため、ＰＯＳシステム５００では、ＰＯＳ端末装置３００，４００ｂ〜４００ｅに対して１つの現金処理装置２００を設定すると共に支払処理に利用することができる。したがって、ＰＯＳシステム５００では、ＰＯＳ端末装置３００，４００ｂ〜４００ｅごとに現金処理装置２００を設ける必要がなく、現金処理装置２００の台数の増加を抑制でき、設備投資を低減することができる。
【０１０３】
［第３の実施の形態］
第３の実施の形態では、ＰＯＳシステムにおいて現金処理装置が接続されているＰＯＳ端末装置に現金処理装置を制御するアプリケーションが導入されている場合を例に挙げて説明する。
【０１０４】
まず、第３の実施の形態のＰＯＳシステムについて図１１を用いて説明する。
図１１は、第３の実施の形態のＰＯＳシステムの一例を示す図である。
ＰＯＳシステム５００ａは、図２に示したＰＯＳシステム５００と同様に、管理サーバ１００と、現金処理装置２００と、ＰＯＳ端末装置３０１，４０１ｂ〜４０１ｅとを有している。また、ＰＯＳシステム５００と同様に、管理サーバ１００にＰＯＳ端末装置３０１，４０１ｂ〜４０１ｅがそれぞれ接続されている。ＰＯＳ端末装置３０１に対して、ＰＯＳ端末装置４０１ｂ〜４０１ｅがそれぞれ接続されている。
【０１０５】
一方、ＰＯＳシステム５００ａは、現金処理装置用のタッチパネル対応型のディスプレイ２５０を新たに設けている。このディスプレイ２５０は、ＰＯＳ端末装置３０１に接続されている。
【０１０６】
なお、ＰＯＳシステム５００ａのＰＯＳ端末装置３０１，４０１ｂ〜４０１ｅのハードウェア構成は、ＰＯＳシステム５００のＰＯＳ端末装置３００，４００ｂ〜４００ｅと同様（図４参照）であるために、それらの詳細な説明については省略する。
【０１０７】
但し、現金処理装置用のディスプレイ２５０は、ＰＯＳ端末装置３０１の通信インタフェース３１０ｆに現金処理装置２００と同様に接続されている。
また、第３の実施の形態のＰＯＳ端末装置３０１，４０１ｂ〜４０１ｅは、ＷＳ−ＰＯＳを利用しないために、ＷＳ−ＰＯＳを必ずしも含む必要は無い。
【０１０８】
次に、このような構成を有するＰＯＳシステム５００ａで実行される支払処理の流れについて図１２（並びに図１１）を用いて説明する。
図１２は、第３の実施の形態のＰＯＳシステムで実行される支払処理の一例を示すシークエンス図である。
【０１０９】
なお、図１２では、図１１のＰＯＳシステム５００ａにおいて、ＰＯＳ端末装置３０１，４０１ｂで支払処理を行う場合を例に挙げている。
［ステップＳ４１］  顧客Ａは、窓口Ａに購入対象となる商品を持っていき、係員Ａに手渡す。
【０１１０】
［ステップＳ４２］  係員Ａは、例えば、ＰＯＳ端末装置３０１のバーコードスキャナ３６０により、購入対象となる商品に付されているバーコードを読み取り、商品の商品登録を行う。
【０１１１】
［ステップＳ４３］  ＰＯＳ端末装置３０１は、登録した商品の支払金を計数する。なお、係員Ａは、計数した商品の支払金を顧客Ａに伝える。そして、ＰＯＳ端末装置３０１は、計数した支払金の支払情報を現金処理装置２００に通知して、支払情報を保持する。
【０１１２】
なお、ＰＯＳ端末装置３０１は、支払情報を現金処理装置用のディスプレイ２５０に表示する。
［ステップＳ４４］  顧客Ｂは、窓口Ｂに購入対象となる商品を持っていき、係員Ｂに手渡す。
【０１１３】
［ステップＳ４５］  係員Ｂは、例えば、ＰＯＳ端末装置４０１ｂのバーコードスキャナ３６０により、購入対象となる商品に付されているバーコードを読み取り、商品の商品登録を行う。
【０１１４】
［ステップＳ４６］  ＰＯＳ端末装置４０１ｂは、登録した商品の支払金を計数する。なお、係員Ｂは、計数した商品の支払金を顧客Ｂに伝える。そして、ＰＯＳ端末装置４０１ｂは、計数した支払金の支払情報をＰＯＳ端末装置３０１に通知する。
【０１１５】
［ステップＳ４７］  ＰＯＳ端末装置３０１は、ステップＳ４６でＰＯＳ端末装置４０１ｂから通知された支払情報（支払金）を現金処理装置２００に通知して、支払情報を保持する。
【０１１６】
なお、ＰＯＳ端末装置３０１は、（ステップＳ４３の支払情報と共に）支払情報を現金処理装置用のディスプレイ２５０に表示する。
［ステップＳ４８］  顧客Ａは、伝えられた支払金に対して代金を係員Ａに手渡す。
【０１１７】
［ステップＳ４９］  係員Ａは、顧客Ａから手渡された代金（受領金）を持って現金処理装置２００に移動する。係員Ａは、現金処理装置用のディスプレイ２５０に表示されている支払情報を指定して、現金処理装置２００に、指定した支払情報に対応する受領金を入金する。
【０１１８】
なお、現金処理装置２００は、入金された受領金の金額をＰＯＳ端末装置３０１に通知する。
［ステップＳ５０］  ＰＯＳ端末装置３０１は、現金処理装置２００から通知された受領金の金額と、支払金とによりその釣り銭を算出する。ＰＯＳ端末装置３０１は、現金処理装置２００から当該釣り銭を外部（係員Ａ）に出金させる。
【０１１９】
［ステップＳ５１］  ＰＯＳ端末装置３０１は、一連の取引内容を印字したレシートを出力する。
［ステップＳ５２］  顧客Ｂは、伝えられた支払金に対して代金を係員Ｂに手渡す。
【０１２０】
［ステップＳ５３］  係員Ｂは、顧客Ｂから手渡された代金（受領金）を持って現金処理装置２００に移動する。係員Ｂは、現金処理装置用のディスプレイ２５０に表示されている支払情報を指定して、現金処理装置２００に、指定した支払情報に対応する受領金を入金する。
【０１２１】
なお、現金処理装置２００は、入金された受領金の金額をＰＯＳ端末装置３０１に通知する。
［ステップＳ５４］  ＰＯＳ端末装置３０１は、現金処理装置２００から通知された受領金の金額と、支払金とによりその釣り銭を算出する。ＰＯＳ端末装置３０１は、現金処理装置２００から当該釣り銭を外部（係員Ｂ）に出金させる。
【０１２２】
なお、ＰＯＳ端末装置３０１は、一連の取引内容をＰＯＳ端末装置４０１ｂに通知する。
［ステップＳ５５］  ＰＯＳ端末装置４０１ｂは、一連の取引内容を印字したレシートを出力する。
【０１２３】
［ステップＳ５６］  ＰＯＳ端末装置３０１は、これまでに売り上げた売上情報を管理サーバ１００に通知する。
［ステップＳ５７］  ＰＯＳ端末装置４０１ｂは、これまでに売り上げた売上情報を管理サーバ１００に通知する。
【０１２４】
次に、このような支払処理を実行するためにＰＯＳ端末装置３０１，４０１ｂ〜４０１ｅ及び現金処理装置２００が有する機能について図１３を用いて説明する。
図１３は、第３の実施の形態のＰＯＳシステムのＰＯＳ端末装置及び現金処理装置で実行される処理を表す機能ブロック図である。
【０１２５】
ＰＯＳシステム５００ａでは、既述の通り、ＰＯＳ端末装置３０１に現金処理装置２００と、複数のＰＯＳ端末装置４０１ｂ〜４０１ｅと、ディスプレイ２５０とがそれぞれ接続されている。
【０１２６】
ＰＯＳ端末装置３０１は、会計処理部３１１と、支払処理部３１５とを有している。
会計処理部３１１は、第２の実施の形態と同様に、購入対象の商品の商品登録、登録した商品の支払金の計数等の商品の会計に関する処理を実行する。
【０１２７】
支払処理部３１５は、さらに、支払情報管理部３１５ａと、現金処理実行部３１５ｂとを有している。
支払情報管理部３１５ａは、ＰＯＳ端末装置３０１，４０１ｂ〜４０１ｅから通知される支払情報を保持して、また、通知される支払情報を管理する。支払情報管理部３１５ａは、ディスプレイ２５０に、支払情報を受け付けた順に表示させる。また、支払情報管理部３１５ａは、ディスプレイ２５０に表示させた支払情報の指定を受け付ける。
【０１２８】
現金処理実行部３１５ｂは、指定された支払情報に基づき、現金処理装置２００に対して受領金の入金の受け付け及び計数、釣り銭の出金等に関する処理を実行させる。
ＰＯＳ端末装置４０１ｂ〜４０１ｅは、ＰＯＳ端末装置３０１と同様の機能を備える会計処理部４１１ｂ〜４１１ｅを有している。
【０１２９】
また、現金処理装置２００は、第２の実施の形態と同様に、入金処理部２１１と、出金処理部２１２とを有している。
なお、ＰＯＳ端末装置４０１ｂ〜４０１ｅをそれぞれ区別しない場合には、単に、ＰＯＳ端末装置４０１とする。また、会計処理部４１１ｂ〜４１１ｅを会計処理部４１１とする。
【０１３０】
次に、このような機能を有するＰＯＳ端末装置３０１，４０１ｂ〜４０１ｅで実行される支払処理について説明する。
まず、ＰＯＳ端末装置３０１，４０１ｂ〜４０１ｅで実行される支払処理の支払登録処理について図１４を用いて説明する。
【０１３１】
図１４は、第３の実施の形態のＰＯＳ端末装置で実行される支払登録処理を示すフローチャートである。
［ステップＳ６０］  ＰＯＳ端末装置３０１，４０１の会計処理部３１１，４１１は、商品登録を待ち受ける。ＰＯＳ端末装置３０１，４０１のバーコードスキャナ３６０で、商品に付されたバーコード（識別情報）を読み取ると、ステップＳ６１の処理に進められる。
【０１３２】
商品登録が行われない場合には、ステップＳ６２の処理に進められる。
なお、商品の識別情報の読み取り方法は、バーコードスキャナ３６０によるバーコードの読み取りの他、キーボード３５０を用いて商品の識別情報を入力してもよい。
【０１３３】
［ステップＳ６１］  ＰＯＳ端末装置３０１，４０１の会計処理部３１１，４１１は、ステップＳ６０で識別情報が読み取られた商品を登録する。
［ステップＳ６２］  ＰＯＳ端末装置３０１，４０１は、購入対象の全ての商品の登録が完了したらステップＳ６３の処理に進められ、全ての商品の登録が完了していない場合には、再び、ステップＳ６０の処理に進められる。
【０１３４】
なお、係員は、全ての商品登録が完了すると、第２の実施の形態と同様に、ＰＯＳ端末装置３０１，４０１のタッチパネル３４０に表示されている商品登録完了のボタンをタッチする（図示を省略）。これにより、ＰＯＳ端末装置３０１，４０１は全ての商品の登録を認識する。
【０１３５】
［ステップＳ６３］  ＰＯＳ端末装置３０１，４０１の会計処理部３１１，４１１は、ステップＳ６２で登録が完了した全ての商品の単価とその個数との積により支払金を確定する。尚、割引サービス等がある場合には、全ての集計により支払い金額を確定する。
【０１３６】
［ステップＳ６４］  ＰＯＳ端末装置３０１，４０１では、ステップＳ６３で支払金が確定されると、第２の実施の形態と同様に、図９に示されるように、ディスプレイ３２０に「支払情報通知」を実行するボタン３２３が表示される。係員は、支払金確定後、このボタン３２３を押下すると、ＰＯＳ端末装置３０１，４０１の会計処理部３１１，４１１は、支払金に関する支払情報をＰＯＳ端末装置３０１の支払処理部３１５に通知する。
【０１３７】
また、ＰＯＳ端末装置３０１，４０１において、支払情報がＰＯＳ端末装置３０１の支払処理部３１５に通知されると、第２の実施の形態と同様に、図１０に示されるように、「支払情報通知完了」がディスプレイ３２０に表示される。
【０１３８】
以上により、ＰＯＳ端末装置３０１，４０１により支払登録処理が完了する。
次に、ＰＯＳ端末装置３０１により実行される支払実行処理について図１５及び図１６並びに図１７〜図２０を用いて説明する。
【０１３９】
図１５及び図１６は、第３の実施の形態のＰＯＳ端末装置で実行される支払実行処理を示すフローチャートである。
図１７及び図１８は、第３の実施の形態の現金処理装置のディスプレイにおける支払待機時の表示画面例を示す図である。
【０１４０】
図１９〜図２０は、第３の実施の形態の現金処理装置のディスプレイにおける入金時の表示画面例を示す図である。
ＰＯＳ端末装置３０１の支払処理部３１５は、ＰＯＳ端末装置３０１，４０１の会計処理部３１１，４１１から支払情報を受け付けると以下の処理を実行する。
【０１４１】
［ステップＳ７０］  ＰＯＳ端末装置３０１の支払情報管理部３１５ａは、ＰＯＳ端末装置３０１，４０１の会計処理部３１１，４１１から支払情報を待ち受ける。
次の処理は、ＰＯＳ端末装置３０１の支払情報管理部３１５ａが、ＰＯＳ端末装置３０１，４０１の会計処理部３１１，４１１から支払情報を受け付けると、ステップＳ７１の処理に進められ、受け付けない場合には、ステップＳ７３の処理に進められる。
【０１４２】
［ステップＳ７１］  ＰＯＳ端末装置３０１の支払情報管理部３１５ａは、ステップＳ７０で受け付けた支払情報を保持する。
［ステップＳ７２］  ＰＯＳ端末装置３０１の支払情報管理部３１５ａは、ステップＳ７１で保持する支払情報を現金処理装置用のディスプレイ２５０に表示する。
【０１４３】
例えば、ディスプレイ２５０は、図１７に例示するように、受け付けた順に保持する支払情報（受付時間、出力したＰＯＳ端末装置３０１，４０１の名称）の一覧を表示する領域２５０ａを有している。また、ディスプレイ２５０は、当該一覧から選択した支払情報の支払いを実行させるためのボタン２５０ｂと、支払情報の選択を解除するボタン２５０ｃとを有している。この場合では、「ＰＯＳ＿Ｅ（ＰＯＳ端末装置４０１ｅ）」、「ＰＯＳ＿Ａ（ＰＯＳ端末装置３０１）」、「ＰＯＳ＿Ｃ（ＰＯＳ端末装置４０１ｃ）」、「ＰＯＳ＿Ｄ（ＰＯＳ端末装置４０１ｄ）」の順にディスプレイ２５０に表示されていることが分かる。
【０１４４】
［ステップＳ７３］  ＰＯＳ端末装置３０１の現金処理実行部３１５ｂは、ディスプレイ２５０に表示されている支払情報の受け付けを待ち受ける。
次の処理は、ＰＯＳ端末装置３０１の現金処理実行部３１５ｂは、ディスプレイ２５０に表示されている支払情報が選択されると、ステップＳ７４に進められ、選択されない場合には、ステップＳ７０に再び進められる。
【０１４５】
なお、図１７のディスプレイ２５０の表示において、「ＰＯＳ＿Ｃ（ＰＯＳ端末装置４０１ｃ）」の支払いを行う場合には、係員Ｃは、ディスプレイ２５０の表示に対して「ＰＯＳ＿Ｃ」をタッチする。すると、図１８に例示されるように、「ＰＯＳ＿Ｃ」の領域の色が反転する。そして、係員Ｃは、「支払実行」を実行するボタン２５０ｂをタッチすると、ステップＳ７４の処理に進められる。
【０１４６】
［ステップＳ７４］  ＰＯＳ端末装置３０１の現金処理実行部３１５ｂは、ディスプレイ２５０に、ステップＳ７３で選択した支払情報に関する支払金を表示する。
この場合のディスプレイ２５０の表示画面例として、図１９に示すように、選択された支払情報の「支払金」、「受領金」、「釣り銭」を表示する領域２５０ｄと、支払処理を中止するボタン２５０ｅと、入金を確定するためのボタン２５０ｆとを有している。
【０１４７】
ステップＳ７３で「ＰＯＳ＿Ｃ」を選択した場合（図１８）には、ＰＯＳ端末装置３０１の現金処理実行部３１５ｂは、ディスプレイ２５０に、「ＰＯＳ＿Ｃ」の支払金である「￥１，０５０」を表示する。
【０１４８】
［ステップＳ７５］  ＰＯＳ端末装置３０１の現金処理実行部３１５ｂは、現金処理装置２００を入金可能状態に設定する。
［ステップＳ７６］  次の処理は、ＰＯＳ端末装置３０１の現金処理実行部３１５ｂが現金処理装置２００の入金処理部２１１から受領金の入金を受け付けたことが通知されると、ステップＳ７７の処理に進められ、受領金の入金を受け付けていないことが通知されると、ステップＳ７９に進められる。
【０１４９】
すなわち、現金処理装置２００は、顧客から代金（受領金）を受領した係員から当該受領金の入金を受け付けると、入金を受け付けた旨をＰＯＳ端末装置３０１の現金処理実行部３１５ｂに通知する。ＰＯＳ端末装置３０１の現金処理実行部３１５ｂは、現金処理装置２００から受領金の入金を受け付けた旨の通知を待ち受ける。
【０１５０】
図１９に示されるように、係員Ｃは受領金の入金が完了（確定）すると、「入金確定」を表すボタン２５０ｆをタッチする。すると、ステップＳ７７の処理に進められる。
【０１５１】
［ステップＳ７７］  ＰＯＳ端末装置３０１の現金処理実行部３１５ｂは、現金処理装置２００に受領金の金額の計数を実行させる。
なお、現金処理装置２００は、計数した受領金の金額を、ＰＯＳ端末装置３０１の現金処理実行部３１５ｂに通知する。
【０１５２】
［ステップＳ７８］  ＰＯＳ端末装置３０１の現金処理実行部３１５ｂは、現金処理装置用のディスプレイ２５０に、ステップＳ７７で計数した受領金の金額を表示する。
例えば、図２０には、現時点で入金された受領金の金額が「支払金」、「受領金」、「釣り銭」を表示する領域２５０ｄに表示される。
【０１５３】
［ステップＳ７９］  ＰＯＳ端末装置３０１の現金処理実行部３１５ｂは、ステップＳ７７で計数した受領金が支払金以上であるか否かを判定する。
次の処理は、受領金が支払金以上である場合には、ステップＳ８０に進められ、受領金が支払金未満である場合には、再び、ステップＳ７６に進められる。
【０１５４】
［ステップＳ８０］  ＰＯＳ端末装置３０１の現金処理実行部３１５ｂは、現金処理装置２００の入金可能状態を解除する。すなわち、現金処理装置２００は入金を受け付けなくなる。
【０１５５】
［ステップＳ８１］  ＰＯＳ端末装置３０１の現金処理実行部３１５ｂは、ステップＳ７７で計数した受領金が支払金に等しいか否かを判定する。
次の処理は、受領金が支払金に等しい場合には、ステップＳ８３に進められ、受領金が支払金に等しくない場合には、ステップＳ８２に進められる。
【０１５６】
［ステップＳ８２］  ＰＯＳ端末装置３０１の現金処理実行部３１５ｂは、受領金から支払金を差し引いて釣り銭を算出する。ＰＯＳ端末装置３０１の現金処理実行部３１５ｂは、現金処理装置２００の出金処理部２１２から釣り銭を出金させる。
【０１５７】
なお、この際、ＰＯＳ端末装置３０１の現金処理実行部３１５ｂは、図２０に例示するように、算出した釣り銭を現金処理装置用のディスプレイ２５０の領域２５０ｄに表示させる。
【０１５８】
［ステップＳ８３］  ＰＯＳ端末装置３０１の現金処理実行部３１５ｂは、ＰＯＳ端末装置３０１，４０１のプリンタ３７０に、支払金、受領金（並びに、必要に応じて釣り銭）等の取引内容を印字させたレシートを出力させる。
【０１５９】
以上により、ＰＯＳシステム５００ａで支払処理を実行することができる。
このように、上記ＰＯＳシステム５００ａでは、ＰＯＳ端末装置３０１と、ＰＯＳ端末装置３０１にそれぞれ接続されているＰＯＳ端末装置４０１ｂ〜４０１ｅと、ＰＯＳ端末装置３０１に接続されている１つの現金処理装置２００とを有している。さらに、ＰＯＳ端末装置３０１には現金処理装置用のディスプレイ２５０が接続されている。
【０１６０】
ＰＯＳ端末装置３０１，４０１は購入対象の商品の登録をそれぞれ行って、当該商品の支払金を計数する。そして、各ＰＯＳ端末装置３０１，４０１は支払金に関する支払情報を、ＰＯＳ端末装置３０１の支払処理部３１５に通知する。ＰＯＳ端末装置３０１の支払処理部３１５は、受け付けた支払情報を現金処理装置用のディスプレイ２５０に受け付け順に表示させる。ＰＯＳ端末装置３０１の支払処理部３１５は、ディスプレイ２５０に表示する支払情報が係員から選択されると、選択された支払情報に対する入金と、釣り銭の出金とを現金処理装置２００に行わせる。
【０１６１】
このため、ＰＯＳシステム５００ａでは、ＰＯＳ端末装置３０１，４０１に対して１つの現金処理装置２００を設定して、当該現金処理装置２００を支払処理に利用することができる。したがって、ＰＯＳシステム５００ａでは、ＰＯＳ端末装置３０１，４０１ごとに現金処理装置２００を設ける必要がなく、現金処理装置２００の台数の増加を抑制でき、設備投資を低減することができる。
【０１６２】
また、ＰＯＳシステム５００ａでは、ＰＯＳ端末装置３０１が各ＰＯＳ端末装置３０１，４０１からの支払情報を受け付けて管理しているために、現金処理装置２００に支払処理を適切に行わせることができるようになる。
【０１６３】
［第４の実施の形態］
第４の実施の形態は、第２の実施の形態において、現金処理装置を管理サーバに接続した場合を例に挙げて説明する。
【０１６４】
まず、第４の実施の形態のＰＯＳシステムについて図２１を用いて説明する。
図２１は、第４の実施の形態のＰＯＳシステムの一例を示す図である。
ＰＯＳシステム５００ｂは、管理サーバ１００ａと、現金処理装置２００と、ＰＯＳ端末装置４００ａ〜４００ｅとを有している。
【０１６５】
ＰＯＳ端末装置４００ａ〜４００ｅは、管理サーバ１００ａに接続されている。また、現金処理装置２００は、管理サーバ１００ａに接続されている。
なお、管理サーバ１００ａ及び現金処理装置２００のハードウェア構成は、ＰＯＳシステム５００の管理サーバ１００及び現金処理装置２００と同様の構成を成している（図３参照）。
【０１６６】
また、ＰＯＳ端末装置４００ａ〜４００ｅのハードウェア構成も、ＰＯＳシステム５００のＰＯＳ端末装置３００と同様の構成を成している（図４参照）。
したがって、管理サーバ１００ａと現金処理装置２００とＰＯＳ端末装置４００ａ〜４００ｅとのハードウェアの詳細な説明については省略する。
【０１６７】
次に、このような構成を有するＰＯＳシステム５００ｂで実行される支払処理の流れについて図２２（並びに図２１）を用いて説明する。
図２２は、第４の実施の形態のＰＯＳシステムで実行される支払処理の一例を示すシークエンス図である。
【０１６８】
なお、図２２では、図２１のＰＯＳシステム５００ｂにおいて、ＰＯＳ端末装置４００ａで支払処理を行う場合を例に挙げている。
［ステップＳ９１］  顧客Ａは、窓口Ａに購入対象となる商品を持っていき、係員Ａに手渡す。
【０１６９】
［ステップＳ９２］  係員Ａは、例えば、ＰＯＳ端末装置４００ａのバーコードスキャナ３６０により、購入対象となる商品に付されているバーコードを読み取り、商品の商品登録を行う。
【０１７０】
［ステップＳ９３］  ＰＯＳ端末装置４００ａは、登録した商品の支払金を計数する。なお、係員Ａは、計数した商品の支払金を顧客Ａに伝える。そして、ＰＯＳ端末装置４００ａは、計数した支払金の支払情報を管理サーバ１００ａに通知する。
【０１７１】
［ステップＳ９４］  管理サーバ１００ａは、ＰＯＳ端末装置４００ａから受け付けた支払情報を現金処理装置２００に通知する。
［ステップＳ９５］  顧客Ａは、伝えられた支払金に対して代金を係員Ａに手渡す。
【０１７２】
［ステップＳ９６］  係員Ａは、顧客Ａから手渡された代金（受領金）を持って現金処理装置２００に移動する。係員Ａは、現金処理装置２００に当該受領金を入金する。
なお、現金処理装置２００は、入金された受領金の金額を管理サーバ１００ａを経由してＰＯＳ端末装置４００ａに通知する。
【０１７３】
［ステップＳ９７］  ＰＯＳ端末装置４００ａは、現金処理装置２００から通知された受領金の金額と、支払金とによりその釣り銭を算出する。ＰＯＳ端末装置４００ａは、管理サーバ１００ａを経由して、現金処理装置２００から当該釣り銭を外部（係員Ａ）に出金させる。
【０１７４】
［ステップＳ９８］  ＰＯＳ端末装置４００ａは、一連の取引内容を印字したレシートを出力する。
［ステップＳ９９］  ＰＯＳ端末装置４００ａは、これまでに売り上げた売上情報を管理サーバ１００ａに通知する。
【０１７５】
次に、このような支払処理を実行するために管理サーバ１００ａとＰＯＳ端末装置４００ａ〜４００ｅと現金処理装置２００とが有する機能について図２３を用いて説明する。
図２３は、第４の実施の形態のＰＯＳシステムの管理サーバ、ＰＯＳ端末装置及び現金処理装置で実行される処理を表す機能ブロック図である。
【０１７６】
ＰＯＳシステム５００ｂでは、既述の通り、管理サーバ１００ａに現金処理装置２００とＰＯＳ端末装置４００ａ〜４００ｅとがそれぞれ接続されている。
管理サーバ１００ａは、サーバ処理部１１１と、接続部１１２とを有している。
【０１７７】
サーバ処理部１１１は、ＰＯＳ端末装置４００ａ〜４００ｅから通知される売上情報、商品単価、値引きの情報等を管理し、ＰＯＳ端末装置４００ａ〜４００ｅに通知する。
接続部１１２は、第２の実施の形態のＰＯＳ端末装置３００が有している接続部３１４と同様の機能を有する。すなわち、接続部１１２は、管理サーバ１００ａと現金処理装置２００との接続並びに解除を実行する。
【０１７８】
ＰＯＳ端末装置４００ａ〜４００ｅは、第２の実施の形態のＰＯＳ端末装置４００ｂ〜４００ｅと同様の機能である会計処理部４１１ａ〜４１１ｅと、接続制御部４１２ａ〜４１２ｅと、現金処理部４１３ａ〜４１３ｅとを有している。
【０１７９】
また、現金処理装置２００は、第２の実施の形態と同様に、入金処理部２１１と、出金処理部２１２とを有している。
このような機能を有する管理サーバ１００ａ及びＰＯＳ端末装置４００ａ〜４００ｅは、第２の実施の形態の図７及び図８のフローチャートにしたがって支払処理を実行する。
【０１８０】
但し、この場合、図７及び図８のフローチャートでは、ＰＯＳ端末装置３００の接続部３１４を経由して行われた処理に代わって、管理サーバ１００ａの接続部１１２を経由した処理が実行される。
【０１８１】
このように、上記ＰＯＳシステム５００ｂでは、管理サーバ１００ａと、管理サーバ１００ａにそれぞれ接続されているＰＯＳ端末装置４００ａ〜４００ｅと、管理サーバ１００ａに接続されている１つの現金処理装置２００とを有している。
【０１８２】
ＰＯＳ端末装置４００ａ〜４００ｅは、管理サーバ１００ａを経由して１つの現金処理装置２００を用いて、受領金の入金、釣り銭の出金を行わせている。
このため、ＰＯＳシステム５００ｂでは、ＰＯＳ端末装置４００ａ〜４００ｅに対して１つの現金処理装置２００を設定すると共に支払処理に利用することができる。したがって、ＰＯＳシステム５００ｂでは、ＰＯＳ端末装置４００ａ〜４００ｅごとに現金処理装置２００を設ける必要がなく、現金処理装置２００の台数の増加を抑制でき、設備投資を低減することができる。
【０１８３】
［第５の実施の形態］
第５の実施の形態は、第３の実施の形態において、現金処理装置（並びにディスプレイ）を管理サーバに接続した場合を例に挙げて説明する。
【０１８４】
まず、第５の実施の形態のＰＯＳシステムについて図２４を用いて説明する。
図２４は、第５の実施の形態のＰＯＳシステムの一例を示す図である。
ＰＯＳシステム５００ｃは、管理サーバ１００ｂと、現金処理装置２００と、ディスプレイ２５０と、ＰＯＳ端末装置４０１ａ〜４０１ｅとを有している。また、ＰＯＳシステム５００ｂと同様に、管理サーバ１００ｂに現金処理装置２００とＰＯＳ端末装置４０１ａ〜４０１ｅとがそれぞれ接続されている。
【０１８５】
一方、ＰＯＳシステム５００ｃは、現金処理装置用のタッチパネル対応型のディスプレイ２５０を新たに設けている。このディスプレイ２５０は、管理サーバ１００ｂに接続されている。
【０１８６】
なお、管理サーバ１００ｂ及び現金処理装置２００のハードウェア構成は、ＰＯＳシステム５００の管理サーバ１００及び現金処理装置２００と同様の構成を成している（図３参照）。
【０１８７】
また、ＰＯＳ端末装置４０１ａ〜４０１ｅのハードウェアは構成も、ＰＯＳシステム５００のＰＯＳ端末装置３００と同様の構成を成している（図４参照）。
したがって、管理サーバ１００ｂと現金処理装置２００とＰＯＳ端末装置４０１ａ〜４０１ｅとのハードウェアの詳細な説明については省略する。
【０１８８】
但し、第５の実施の形態の管理サーバ１００ｂとＰＯＳ端末装置４０１ａ〜４０１ｅとは、ＷＳ−ＰＯＳを利用しないために、ＷＳ−ＰＯＳを必ずしも含む必要は無い。
次に、このような構成を有するＰＯＳシステム５００ｃで実行される支払処理の流れについて図２５（並びに図２４）を用いて説明する。
【０１８９】
図２５は、第５の実施の形態のＰＯＳシステムで実行される支払処理の一例を示すシークエンス図である。
なお、図２５では、図２４のＰＯＳシステム５００ｃにおいて、ＰＯＳ端末装置４０１ａ，４０１ｂで支払処理を行う場合を例に挙げている。
【０１９０】
［ステップＳ１０１］  顧客Ａは、窓口Ａに購入対象となる商品を持っていき、係員Ａに手渡す。
［ステップＳ１０２］  係員Ａは、例えば、ＰＯＳ端末装置４０１ａのバーコードスキャナ３６０により、購入対象となる商品に付されているバーコードを読み取り、商品の商品登録を行う。
【０１９１】
［ステップＳ１０３］  ＰＯＳ端末装置４０１ａは、登録した商品の支払金を計数する。なお、係員Ａは、計数した商品の支払金を顧客Ａに伝える。そして、ＰＯＳ端末装置４０１ａは、計数した支払金の支払情報を管理サーバ１００ｂに通知する。
【０１９２】
［ステップＳ１０４］  管理サーバ１００ｂは、ステップＳ１０３でＰＯＳ端末装置４０１ａから通知された支払情報（支払金）を現金処理装置２００に通知すると共に、保持する。
【０１９３】
なお、管理サーバ１００ｂは、支払情報を現金処理装置用のディスプレイ２５０に表示する。
［ステップＳ１０５］  顧客Ｂは、窓口Ｂに購入対象となる商品を持っていき、係員Ｂに手渡す。
【０１９４】
［ステップＳ１０６］  係員Ｂは、例えば、ＰＯＳ端末装置４０１ｂのバーコードスキャナ３６０により、購入対象となる商品に付されているバーコードを読み取り、商品の商品登録を行う。
【０１９５】
［ステップＳ１０７］  ＰＯＳ端末装置４０１ｂは、登録した商品の支払金を計数する。なお、係員Ｂは、計数した商品の支払金を顧客Ｂに伝える。そして、ＰＯＳ端末装置４０１ｂは、計数した支払金の支払情報を管理サーバ１００ｂに通知する。なお、管理サーバ１００ｂは、通知されたＰＯＳ端末装置４０１ｂの支払情報を保持する。
【０１９６】
［ステップＳ１０８］  管理サーバ１００ｂは、ステップＳ１０７でＰＯＳ端末装置４０１ｂから通知された支払情報（支払金）を現金処理装置２００に通知して、支払情報を保持する。
【０１９７】
なお、管理サーバ１００ｂは、（ステップＳ１０４の支払情報と共に）支払情報を現金処理装置用のディスプレイ２５０に表示する。
［ステップＳ１０９］  顧客Ａは、伝えられた支払金に対して代金を係員Ａに手渡す。
【０１９８】
［ステップＳ１１０］  係員Ａは、顧客Ａから手渡された代金（受領金）を持って現金処理装置２００に移動する。係員Ａは、現金処理装置用のディスプレイ２５０に表示されている支払情報を選択して、現金処理装置２００に、選択した支払情報に対応する受領金を入金する。
【０１９９】
なお、現金処理装置２００は、入金された受領金の金額を管理サーバ１００ｂに通知する。
［ステップＳ１１１］  管理サーバ１００ｂは、現金処理装置２００から通知された受領金の金額と、支払金とによりその釣り銭を算出する。管理サーバ１００ｂは、現金処理装置２００から当該釣り銭を外部（係員Ａ）に出金させる。
【０２００】
［ステップＳ１１２］  ＰＯＳ端末装置４０１ａは、管理サーバ１００ｂから通知された一連の取引内容を印字したレシートを出力する。
［ステップＳ１１３］  顧客Ｂは、伝えられた支払金に対して代金を係員Ｂに手渡す。
【０２０１】
［ステップＳ１１４］  係員Ｂは、顧客Ｂから手渡された代金（受領金）を持って現金処理装置２００に移動する。係員Ｂは、現金処理装置用のディスプレイ２５０に表示されている支払情報を選択して、現金処理装置２００に、選択した支払情報に対応する受領金を入金する。
【０２０２】
なお、現金処理装置２００は、入金された受領金の金額を管理サーバ１００ｂに通知する。
［ステップＳ１１５］  管理サーバ１００ｂは、現金処理装置２００から通知された受領金の金額と、支払金とによりその釣り銭を算出する。管理サーバ１００ｂは、現金処理装置２００から当該釣り銭を外部（係員Ｂ）に出金させる。
【０２０３】
［ステップＳ１１６］  ＰＯＳ端末装置４０１ｂは、管理サーバ１００ｂから通知された一連の取引内容を印字したレシートを出力する。
【０２０４】
なお、管理サーバ１００ｂは、これまでに売り上げた売上情報を管理する。
次に、このような支払処理を実行するために管理サーバ１００ｂとＰＯＳ端末装置４０１ａ〜４０１ｅと現金処理装置２００とが有する機能について図２６を用いて説明する。
【０２０５】
図２６は、第５の実施の形態のＰＯＳシステムの管理サーバ、ＰＯＳ端末装置及び現金処理装置で実行される処理を表す機能ブロック図である。
ＰＯＳシステム５００ｃでは、既述の通り、管理サーバ１００ｂに現金処理装置２００とディスプレイ２５０とＰＯＳ端末装置４０１ａ〜４０１ｅとがそれぞれ接続されている。
【０２０６】
管理サーバ１００ｂは、サーバ処理部１１１と、支払処理部１１３とを有している。
サーバ処理部１１１は、第４の実施の形態の管理サーバ１００ａが有しているサーバ処理部１１１を有している。
【０２０７】
支払処理部１１３は、さらに、支払情報管理部１１３ａと、現金処理実行部１１３ｂとを有している。このような支払処理部１１３は、第３の実施の形態のＰＯＳ端末装置３０１が有する支払処理部３１５と同様の機能を有する。
【０２０８】
また、現金処理装置２００は、第３の実施の形態と同様に、入金処理部２１１と、出金処理部２１２とを有している。
このような機能を有するＰＯＳ端末装置４０１ａ〜４０１ｅは、第３の実施の形態の図１４のフローチャートにしたがって支払登録処理を実行する。また、このような機能を有する管理サーバ１００ｂは、第３の実施の形態の図１５及び図１６のフローチャートにしたがって支払実行処理を実行する。
【０２０９】
すなわち、管理サーバ１００ｂの支払処理部１１３は、図１５及び図１６のフローチャートにおいて、ＰＯＳ端末装置３０１の支払処理部３１５に代わって、支払実行処理を実行する。
【０２１０】
このように、上記ＰＯＳシステム５００ｃでは、管理サーバ１００ｂと、管理サーバ１００ｂにそれぞれ接続されているＰＯＳ端末装置４０１ａ〜４０１ｅと、管理サーバ１００ｂに接続されている１つの現金処理装置２００を有している。さらに、管理サーバ１００ｂにディスプレイ２５０が接続されている。
【０２１１】
ＰＯＳ端末装置４０１ａ〜４０１ｅは、管理サーバ１００ｂを経由して１つの現金処理装置２００を用いて、受領金の入金、釣り銭の出金を行わせている。
このため、ＰＯＳシステム５００ｃでは、ＰＯＳ端末装置４０１ａ〜４０１ｅに対して１つの現金処理装置２００を設定すると共に支払処理に利用することができる。したがって、ＰＯＳシステム５００ｃでは、ＰＯＳ端末装置４０１ａ〜４０１ｅごとに現金処理装置２００を設ける必要がなく、現金処理装置２００の台数の増加を抑制でき、設備投資を低減することができる。
【０２１２】
また、ＰＯＳシステム５００ｃでは、管理サーバ１００ｂが各ＰＯＳ端末装置４０１ａ〜４０１ｅの支払情報を受け付けて管理しているために、現金処理装置２００に支払処理を適切に行わせることができるようになる。
【０２１３】
上記の処理機能は、コンピュータによって実現することができる。その場合、コンピュータが有すべき機能の処理内容を記述したプログラムが提供される。そのプログラムをコンピュータで実行することにより、上記処理機能がコンピュータ上で実現される。
【０２１４】
処理内容を記述したプログラムは、コンピュータで読み取り可能な記録媒体に記録しておくことができる。コンピュータで読み取り可能な記録媒体には、磁気記憶装置、光ディスク、光磁気記憶媒体、半導体メモリ等がある。磁気記憶装置には、ＨＤＤ、フレキシブルディスク（ＦＤ）、磁気テープ（ＭＴ）等がある。光ディスクには、ＤＶＤ（Digital Versatile Disc）、ＤＶＤ−ＲＡＭ、ＣＤ（Compact Disc）−ＲＯＭ、ＣＤ−Ｒ（Recordable）／ＲＷ（ReWritable）等がある。光磁気記憶媒体には、ＭＯ（Magneto - Optical disk）等がある。半導体メモリには、ＵＳＢ（Universal Serial Bus）メモリ等のフラッシュメモリがある。
【０２１５】
上記プログラムを流通させる場合には、例えば、そのプログラムが記録されたＤＶＤ、ＣＤ−ＲＯＭ等の可搬型記録媒体が販売される。また、プログラムをサーバコンピュータに格納しておき、ネットワークを介して、サーバコンピュータから他のコンピュータにそのプログラムを転送することもできる。
【０２１６】
上記プログラムを実行するコンピュータは、例えば、可搬型記録媒体に記録されたプログラム若しくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０２１７】
また、プログラムで記述された処理の一部または全てを、電子回路に置き換えることが可能である。例えば、上記の処理機能の少なくとも一部を、ＤＳＰ、ＡＳＩＣ（Application Specific Integrated Circuit）、ＰＬＤ（Programmable Logic Device）等の電子回路で実現してもよい。
【０２１８】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【０２１９】
１０  第１ＰＯＳ端末装置
１１  第１会計部
１２  第１算出部
１３  第１出金要求部
２０  第２ＰＯＳ端末装置
２１  第２会計部
２２  第２算出部
２３  第２出金要求部
２４  入出金要求実行部
３０  現金処理装置
３１  入金受付部
３２  出金部
５０  ＰＯＳシステム
【図１】
0006694999.tif 000002
【図２】
0006694999.tif 000003
【図３】
0006694999.tif 000004
【図４】
0006694999.tif 000005
【図５】
0006694999.tif 000006
【図６】
0006694999.tif 000007
【図７】
0006694999.tif 000008
【図８】
0006694999.tif 000009
【図９】
0006694999.tif 000010
【図１０】
0006694999.tif 000011
【図１１】
0006694999.tif 000012
【図１２】
0006694999.tif 000013
【図１３】
0006694999.tif 000014
【図１４】
0006694999.tif 000015
【図１５】
0006694999.tif 000016
【図１６】
0006694999.tif 000017
【図１７】
0006694999.tif 000018
【図１８】
0006694999.tif 000019
【図１９】
0006694999.tif 000020
【図２０】
0006694999.tif 000021
【図２１】
0006694999.tif 000022
【図２２】
0006694999.tif 000023
【図２３】
0006694999.tif 000024
【図２４】
0006694999.tif 000025
【図２５】
0006694999.tif 000026
【図２６】
0006694999.tif 000027